(57)【要約】【課題】マナーモードに移行させる時間帯を予め設定するといった複雑な設定を予め行うことなく、着信音の鳴動が禁止されている空間において容易にマナーモードに移行する移動通信システム、移動通信端末装置、無線信号中継装置、移動通信方法、およびそのプログラムを提供する。【解決手段】リピータ２は、遮蔽空間外からのページング信号に応答許可信号を付加して遮蔽空間内に送出する。移動通信端末１は、受信したページング信号に応答許可信号が付加されていると判断すると、自身のマナーモード設定を参照し、マナーモードが「ＯＮ」の場合のみ応答信号を送出する。【選択図】        図１
2004153459.tif 000002
【特許請求の範囲】
【請求項１】
移動通信端末装置と無線信号中継装置とを有し、前記移動通信端末装置は、無線信号を遮蔽する無線信号シールドにより囲まれて形成される無線信号遮蔽空間内に位置する移動通信システムであって、
前記無線信号中継装置は、
前記無線信号遮蔽空間の外部からの呼出信号を受信する中継呼出信号受信手段と、
前記中継呼出信号受信手段により受信された呼出信号に、着信音を鳴動しない通信端末装置にのみ応答信号の送出を許可するための応答許可情報を付加する応答許可情報付加手段と、
前記応答許可情報付加手段により前記応答許可情報が付加された呼出信号を前記無線信号遮蔽空間の内部に送出する付加呼出信号送出手段と、
を有し、
前記移動通信端末装置は、
前記呼出信号着信時に着信音を鳴動する音声出力手段と、
前記音声出力手段による着信音の鳴動のＯＮ／ＯＦＦを設定する着信音設定手段と、
前記呼出信号を受信する呼出信号受信手段と、
前記呼出信号受信手段により受信された呼出信号に、前記応答許可情報が付加されているか否かを判定する情報付加判定手段と、
前記情報付加判定手段により前記応答許可信号が付加されていると判定され、前記着信音設定手段により着信音の鳴動がＯＦＦに設定されている場合、着信に対する応答信号を送出する応答信号送出手段と、
を有することを特徴とする移動通信システム。
【請求項２】
無線信号中継装置を介して無線信号の送受信を行う移動通信端末装置であって、
無線信号着信時に着信音を鳴動する音声出力手段と、
前記音声出力手段による着信音の鳴動のＯＮ／ＯＦＦを設定する着信音設定手段と、
前記無線信号中継装置を介して無線信号を受信する無線信号受信手段と、
前記無線信号受信手段により受信された無線信号に、前記無線信号中継装置により付加された所定の情報が含まれているか否かを判定する情報付加判定手段と、
前記情報付加判定手段により前記無線信号中継装置に付加された情報が含まれていると判定され、前記着信音設定手段により着信音の鳴動がＯＦＦに設定されている場合、前記無線信号受信手段により受信された無線信号に対する応答信号を送出する応答信号送出手段と、
を有することを特徴とする移動通信端末装置。
【請求項３】
無線信号を遮蔽する無線信号シールドにより囲まれて形成される無線信号遮蔽空間内に位置し、前記無線信号遮蔽空間の外部に位置する通信端末装置と前記無線信号中継装置を介して通信を行うことを特徴とする請求項２記載の移動通信端末装置。
【請求項４】
前記無線信号受信手段は、
前記無線信号中継装置を介して前記通信端末装置からの呼出信号を受信することを特徴とする請求項２または３記載の移動通信端末装置。
【請求項５】
無線信号を受信する中継無線信号受信手段と、
前記中継無線信号受信手段により受信された無線信号に、着信音を鳴動しない通信端末装置にのみ応答信号の送出を許可するための応答許可情報を付加する応答許可情報付加手段と、
前記応答許可情報付加手段により前記応答許可情報が付加された無線信号を送出する付加無線信号送出手段と、
を有することを特徴とする無線信号中継装置。
【請求項６】
前記中継無線信号受信手段は、
無線信号を遮蔽する無線信号シールドにより囲まれて形成される無線信号遮蔽空間の外部からの無線信号を受信し、
前記付加無線信号送出手段は、
前記応答許可情報付加手段により前記応答許可情報が付加された無線信号を前記無線信号遮蔽空間の内部に送出することを特徴とする請求項５記載の無線信号中継装置。
【請求項７】
移動通信端末装置と無線信号中継装置とを有し、前記移動通信端末装置は、無線信号を遮蔽する無線信号シールドにより囲まれて形成される無線信号遮蔽空間内に位置する移動通信システムを用いた移動通信方法であって、
前記移動通信端末装置が、着信時における着信音の鳴動のＯＮ／ＯＦＦを設定する着信音設定工程と、
前記無線信号中継装置が、前記無線信号遮蔽空間の外部からの呼出信号を受信する中継呼出信号受信工程と、
前記無線信号中継装置が、前記中継呼出信号受信工程により受信した呼出信号に、着信音を鳴動しない通信端末装置にのみ応答信号の送出を許可するための応答許可情報を付加する応答許可情報付加工程と、
前記無線信号中継装置が、前記応答許可情報付加工程により前記応答許可情報を付加した呼出信号を前記無線信号遮蔽空間の内部に送出する付加呼出信号送出工程と、
前記移動通信端末装置が、前記呼出信号を受信する呼出信号受信工程と、
前記移動通信端末装置が、前記呼出信号受信工程により受信した呼出信号に、前記応答許可情報が付加されているか否かを判定する情報付加判定工程と、
前記移動通信端末装置が、前記情報付加判定工程により前記応答許可信号が付加されていると判定し、前記着信音設定工程により着信音の鳴動をＯＦＦに設定している場合、着信に対する応答信号を送出する応答信号送出工程と、
を有することを特徴とする移動通信方法。
【請求項８】
呼出信号の受信を認識する中継受信認識処理と、
前記受信された呼出信号に、着信音を鳴動しない通信端末装置にのみ応答信号の送出を許可するための応答許可情報を付加する応答許可情報付加処理と、
前記応答許可情報付加処理により前記応答許可情報が付加された呼出信号を送出するように制御する付加呼出信号送出処理と、
をコンピュータに実行させるためのプログラム。
【請求項９】
着信時における着信音の鳴動のＯＮ／ＯＦＦを設定する着信音設定処理と、
呼出信号の受信を認識する受信認識処理と、
前記受信処理により受信された呼出信号に、着信音を鳴動しない通信端末装置にのみ応答信号の送出を許可するための応答許可情報が付加されているか否かを判定する情報付加判定処理と、
前記情報付加判定処理により前記応答許可信号が付加されていると判定され、前記着信音設定処理により着信音の鳴動がＯＦＦに設定されている場合、着信に対する応答信号を送出するように制御する応答信号送出処理と、
をコンピュータに実行させるためのプログラム。
【発明の詳細な説明】
【０００１】
【発明の属する技術分野】
本発明は、移動通信システム、移動通信端末装置、無線信号中継装置、移動通信方法、およびそのプログラムに関し、特に、所定の空間において、着信音の鳴動がＯＦＦに設定されている移動通信端末装置に係る通信を確立する移動通信システム、移動通信端末装置、無線信号中継装置、移動通信方法、およびそのプログラムに関する。
【０００２】
【従来の技術】
近年、携帯電話機などの移動通信端末の普及に伴い、社会における移動通信端末のマナーの問題が注目されるようになってきた。特に、医療機関、映画館、および公共交通機関などにおいて、移動通信端末による着信音の鳴動が周囲に迷惑を与えることが後を絶たない。
【０００３】
上記のような問題を解決する従来技術として、特開２００１−２２４０７５号公報（以下、特許文献１）が開示するところの携帯型移動通信端末のマナーモード設定システム及び方法があった。
【０００４】
特許文献１では、スケジュール機能によりマナーモードの設定を行う年月日、時間帯を記憶し、設定された年月日、時間帯に携帯型移動通信端末の機能の一部を停止してマナーモードの設定を行っていた。
【０００５】
また、特開２００１−１２７８３８号公報（以下、特許文献２）が開示するところのマナーモード設定システム及びマナーモード設定方法では、携帯型移動通信端末は、マナーモードを設定する時刻と解除する時刻とを記憶し、これに基づき動作する機能を有していた。また、特許文献２では、携帯型移動通信端末は、無線基地局からの信号を待ち受けて、その無線基地局の基地局ＩＤを取得し、取得した基地局ＩＤの時間変化に基づいて携帯型移動通信端末の移動速度を算出していた。特許文献２では、その算出した移動速度に応じてマナーモードの設定、解除を行っていた。
【０００６】
【特許文献１】
特開２００１−２２４０７５号公報
【特許文献２】
特開２００１−１２７８３８号公報
【０００７】
【発明が解決しようとする課題】
しかしながら、特許文献１および特許文献２では、不定期に所定の空間を訪れる場合、あるいは移動通信端末の移動速度の変化が無い場合、移動通信端末による着信音の鳴動を抑制させることが困難であった。
【０００８】
本発明は、上記問題点に鑑みてなされたものであり、マナーモードに移行させる時間帯を予め設定するといった複雑な設定を予め行うことなく、着信音の鳴動が禁止されている空間において容易にマナーモードに移行する移動通信システム、移動通信端末装置、無線信号中継装置、移動通信方法、およびそのプログラムを提供することを目的とする。
【０００９】
【課題を解決するための手段】
かかる目的を達成するため、請求項１記載の発明は、移動通信端末装置と無線信号中継装置とを有し、移動通信端末装置は、無線信号を遮蔽する無線信号シールドにより囲まれて形成される無線信号遮蔽空間内に位置する移動通信システムであって、無線信号中継装置は、無線信号遮蔽空間の外部からの呼出信号を受信する中継呼出信号受信手段と、中継呼出信号受信手段により受信された呼出信号に、着信音を鳴動しない通信端末装置にのみ応答信号の送出を許可するための応答許可情報を付加する応答許可情報付加手段と、応答許可情報付加手段により応答許可情報が付加された呼出信号を無線信号遮蔽空間の内部に送出する付加呼出信号送出手段と、を有し、移動通信端末装置は、呼出信号着信時に着信音を鳴動する音声出力手段と、音声出力手段による着信音の鳴動のＯＮ／ＯＦＦを設定する着信音設定手段と、呼出信号を受信する呼出信号受信手段と、呼出信号受信手段により受信された呼出信号に、応答許可情報が付加されているか否かを判定する情報付加判定手段と、情報付加判定手段により応答許可信号が付加されていると判定され、着信音設定手段により着信音の鳴動がＯＦＦに設定されている場合、着信に対する応答信号を送出する応答信号送出手段と、を有することを特徴とする。
【００１０】
また、請求項２記載の発明は、無線信号中継装置を介して無線信号の送受信を行う移動通信端末装置であって、無線信号着信時に着信音を鳴動する音声出力手段と、音声出力手段による着信音の鳴動のＯＮ／ＯＦＦを設定する着信音設定手段と、無線信号中継装置を介して無線信号を受信する無線信号受信手段と、無線信号受信手段により受信された無線信号に、無線信号中継装置により付加された所定の情報が含まれているか否かを判定する情報付加判定手段と、情報付加判定手段により無線信号中継装置に付加された情報が含まれていると判定され、着信音設定手段により着信音の鳴動がＯＦＦに設定されている場合、無線信号受信手段により受信された無線信号に対する応答信号を送出する応答信号送出手段と、を有することを特徴とする。
【００１１】
また、請求項３記載の発明によれば、請求項２記載の移動通信端末装置において、無線信号を遮蔽する無線信号シールドにより囲まれて形成される無線信号遮蔽空間内に位置し、無線信号遮蔽空間の外部に位置する通信端末装置と無線信号中継装置を介して通信を行うことを特徴とする。
【００１２】
また、請求項４記載の発明によれば、請求項２または３記載の移動通信端末装置において、無線信号受信手段は、無線信号中継装置を介して通信端末装置からの呼出信号を受信することを特徴とする。
【００１３】
また、請求項５記載の発明は、無線信号を受信する中継無線信号受信手段と、中継無線信号受信手段により受信された無線信号に、着信音を鳴動しない通信端末装置にのみ応答信号の送出を許可するための応答許可情報を付加する応答許可情報付加手段と、応答許可情報付加手段により応答許可情報が付加された無線信号を送出する付加無線信号送出手段と、を有することを特徴とする。
【００１４】
また、請求項６記載の発明によれば、請求項５記載の無線信号中継装置において、中継無線信号受信手段は、無線信号を遮蔽する無線信号シールドにより囲まれて形成される無線信号遮蔽空間の外部からの無線信号を受信し、付加無線信号送出手段は、応答許可情報付加手段により応答許可情報が付加された無線信号を無線信号遮蔽空間の内部に送出することを特徴とする。
【００１５】
また、請求項７記載の発明は、移動通信端末装置と無線信号中継装置とを有し、移動通信端末装置は、無線信号を遮蔽する無線信号シールドにより囲まれて形成される無線信号遮蔽空間内に位置する移動通信システムを用いた移動通信方法であって、移動通信端末装置が、着信時における着信音の鳴動のＯＮ／ＯＦＦを設定する着信音設定工程と、無線信号中継装置が、無線信号遮蔽空間の外部からの呼出信号を受信する中継呼出信号受信工程と、無線信号中継装置が、中継呼出信号受信工程により受信した呼出信号に、着信音を鳴動しない通信端末装置にのみ応答信号の送出を許可するための応答許可情報を付加する応答許可情報付加工程と、無線信号中継装置が、応答許可情報付加工程により応答許可情報を付加した呼出信号を無線信号遮蔽空間の内部に送出する付加呼出信号送出工程と、移動通信端末装置が、呼出信号を受信する呼出信号受信工程と、移動通信端末装置が、呼出信号受信工程により受信した呼出信号に、応答許可情報が付加されているか否かを判定する情報付加判定工程と、移動通信端末装置が、情報付加判定工程により応答許可信号が付加されていると判定し、着信音設定工程により着信音の鳴動をＯＦＦに設定している場合、着信に対する応答信号を送出する応答信号送出工程と、を有することを特徴とする。
【００１６】
また、請求項８記載の発明は、呼出信号の受信を認識する中継受信認識処理と、受信された呼出信号に、着信音を鳴動しない通信端末装置にのみ応答信号の送出を許可するための応答許可情報を付加する応答許可情報付加処理と、応答許可情報付加処理により応答許可情報が付加された呼出信号を送出するように制御する付加呼出信号送出処理と、をコンピュータに実行させることを特徴とする。
【００１７】
また、請求項９記載の発明は、着信時における着信音の鳴動のＯＮ／ＯＦＦを設定する着信音設定処理と、呼出信号の受信を認識する受信認識処理と、受信処理により受信された呼出信号に、着信音を鳴動しない通信端末装置にのみ応答信号の送出を許可するための応答許可情報が付加されているか否かを判定する情報付加判定処理と、情報付加判定処理により応答許可信号が付加されていると判定され、着信音設定処理により着信音の鳴動がＯＦＦに設定されている場合、着信に対する応答信号を送出するように制御する応答信号送出処理と、をコンピュータに実行させることを特徴とする。
【００１８】
【発明の実施の形態】
（本実施形態の構成）
図１は、本発明の一実施形態における移動通信システムの構成イメージを示す図である。移動通信システムは、移動通信端末１と、リピータ２と、電波シールド３と、を有する。移動通信端末１は、電波（無線信号）を遮蔽する電波シールド３に囲まれた空間（以下、遮蔽空間）内に位置している。移動通信端末１は、遮蔽空間の外部に位置する通信機器とリピータ２を介して通信を行う。なお、遮蔽空間は、所定の店舗または公共交通機関などであってもよい。
【００１９】
図２は、本発明の一実施形態における移動通信システムの構成をさらに詳細に示した図である。以下、図２を用いて、本実施形態における移動通信システムの構成および動作について説明する。
【００２０】
上述したように、移動通信システムは、移動通信端末１と、リピータ２と、電波シールド３とを有する。
【００２１】
移動通信端末１は、携帯電話機、ＰＨＳ、またはＰＤＡなどの通信機能を有する携帯型の端末装置である。また、移動通信端末１は、制御部１１と、送受信部１２と、マナーモード設定部１３と、操作部１４と、情報記憶部１５と、アンテナ１６と、音声出力部１７とを有する。
【００２２】
本実施形態において、移動通信端末１は、マナーモードのＯＮ／ＯＦＦが設定可能であり、マナーモードのＯＮ／ＯＦＦのいずれかの状態をとるものとする。
【００２３】
制御部１１は、送受信部１２、マナーモード設定部１３、操作部１４、情報記憶部１５、および音声出力部１７を含む移動通信端末１の各部位に接続されており、上記の各部位の制御を行う。
【００２４】
送受信部１２は、通信の際の入力／出力無線信号の変復調を行う。
【００２５】
操作部１４は、所定の情報の入力する。例えば、操作部１４は、テンキーまたは十字キーなどである。また、操作部１４には、移動通信端末１をマナーモードのＯＮ／ＯＦＦを設定するためのマナーモードキーが設けられている。
【００２６】
マナーモード設定部１３は、移動通信端末１にマナーモードのＯＮ／ＯＦＦを設定する部位である。操作部１４上のマナーモードキーが押下されると、マナーモード設定部１３は、移動通信端末１のマナーモード設定情報を「ＯＮ」または「ＯＦＦ」のいずれかに設定して格納し、マナーモードに設定する旨を制御部１１に通知する。
【００２７】
情報記憶部１５は、電話帳情報および着信時の着信履歴などの情報を格納する部位である。
【００２８】
アンテナ１６は、無線信号の送受信を行う。
【００２９】
音声出力部１７は、着信音などの音声を出力する部位である。マナーモード「ＯＮ」設定時に着信があった場合、音声出力部１７は、着信音を鳴動しない。また、マナーモード「ＯＦＦ」設定時に着信があった場合、音声出力部１７は、着信音を鳴動する。
【００３０】
電波シールド３は、電波の遮蔽壁であって、外部からの電波を遮蔽する閉じた空間を形成している。例えば、電波シールド３は、導電性の材料からなり、電波を反射するように形成されてもよい。
【００３１】
リピータ２は、遮蔽空間内に位置する通信端末と遮蔽空間外に位置する通信端末との間の通信の中継を行う機器である。遮蔽空間内の通信端末と遮蔽空間外の通信端末とが通信を行う場合、その通信は、必ずリピータ２を介して行われるものとする。リピータ２は、制御部２１と、送受信部２２と、空間外部アンテナ２３と、空間内部アンテナ２４とを有する。
【００３２】
制御部２１は、送受信部２２を含むリピータ２内の各部位と接続されており、上記の接続されている各部位の制御を行う。
【００３３】
送受信部２２は、通信の際の入力／出力無線信号の変復調を行う。
【００３４】
空間外部アンテナ２３は、遮蔽空間外に設置されており、遮蔽空間外からの無線信号（電波）の受信および遮蔽空間外への無線信号の送信を行う。
【００３５】
空間内部アンテナ２４は、遮蔽空間内に設置されており、遮蔽空間内からの無線信号の受信および遮蔽空間内への無線信号の送信を行う。
【００３６】
（本実施形態の動作）
図３は、本発明の一実施形態における移動通信システムの動作の流れを示すフローチャートである。以下、図２を用い、図３に沿って、遮蔽空間外に位置する通信端末が、移動通信端末１に対して発呼した場合における移動通信システムによる動作について説明する。なお、遮蔽空間内と遮蔽空間外との間の通信は、リピータ２を介してのみ行われるものとする。
【００３７】
まず、操作部１４に設けられたマナーモードキーにより、マナーモード設定部１３におけるモード設定情報を「ＯＮ」および「ＯＦＦ」のうちのいずれかに設定する（ステップＳ１０１）。
【００３８】
遮蔽空間外の通信端末が移動通信端末１に対して発呼すると、空間外部アンテナ２３は、基地局、交換機などを介して一斉呼出信号（ページング信号）を受信する（ステップＳ１０２）。
【００３９】
制御部２１は、空間外部アンテナ２３により受信されたページング信号に応答許可情報を付加する（ステップＳ１０３）。応答許可情報とは、マナーモードが「ＯＮ」に設定されている通信端末のみ応答信号の送出を許可する旨の情報である。
【００４０】
次に、空間内部アンテナ２４は、応答許可情報が付加されたページング信号を遮蔽空間内に送出する（ステップＳ１０４）。
【００４１】
アンテナ１６は、応答許可情報が付加されたページング信号を受信する（ステップＳ１０５）。
【００４２】
ページング信号受信後、制御部１１は、着信履歴を情報記憶部１５に格納させる（ステップＳ１０６）。
【００４３】
次に、制御部１１は、アンテナ１６により受信されたページング信号に応答許可情報が付加されているか否かを判断する（ステップＳ１０７）。ページング信号に応答許可情報が付加されていないと判断された場合（ステップＳ１０７／Ｎｏ）、制御部１１は、通常の着信処理を行う（ステップＳ１０８）。
【００４４】
ページング信号に応答許可情報が付加されていると判断された場合（ステップＳ１０７／Ｙｅｓ）、制御部１１は、マナーモード設定部１３を参照し、マナーモードが「ＯＮ」に設定されているか否かを判断する（ステップＳ１０９）。
【００４５】
マナーモードが「ＯＮ」に設定されていない、すなわち「ＯＦＦ」に設定されていると判断された場合（ステップＳ１０９／Ｎｏ）、移動通信端末１は動作を終了する。この場合、制御部１１は、操作部１４により着信に応答する旨の情報が入力されたとしても、ページング信号に対する応答信号の送出を送受信部１２およびアンテナ１６などに命令しない。マナーモードが「ＯＦＦ」の場合、移動通信端末１は、着信に対する応答が禁止される。また、この場合、制御部１１は、着信音の鳴動を禁止するように音声出力部１７を制御する。
【００４６】
また、マナーモード「ＯＦＦ」設定時に応答許可信号が付加されたページング信号を受信すると、制御部１１は、移動通信端末１に設けられたディスプレイ上にマナーモードの「ＯＮ」設定を促す旨のメッセージを表示させるようにしてもよい。
【００４７】
マナーモードが「ＯＮ」に設定されていると判断された場合（ステップＳ１０９／Ｙｅｓ）、制御部１１は、操作部１４による着信に応答する旨の情報の入力を認識すると、送受信部１２およびアンテナ１６に着信に対する応答信号の送出を命令する。送受信部１２およびアンテナ１６は、制御部１１からの命令にしたがって着信に対する応答信号を送出する（ステップＳ１１０）。マナーモードが「ＯＮ」に設定されている場合、移動通信端末１は、着信に対する応答が許可される。
【００４８】
リピータ２は、空間内部アンテナ２４により受信した移動通信端末１からの応答信号を中継して、空間外部アンテナ２３からその受信した応答信号を遮蔽空間外に送出する（ステップＳ１１１）。交換機は、応答信号を受信すると、移動通信端末１と、発呼した通信端末との間の通信が確立し、通信終了後、移動通信システムは、動作を終了する。
【００４９】
以上説明したように、本実施形態によれば、遮蔽空間内おいて、移動通信端末１は、マナーモードが「ＯＦＦ」である場合、着信音の鳴動および着信に対する応答信号の送出を行わない。従って、着信音の鳴動が禁止されている所定の店舗または公共交通機関などにおいて、容易に着信音の鳴動を抑制し、通信端末の利用者のマナーを向上させることが可能となる。
【００５０】
また、本実施形態では、ネットワークおよび基地局側における変更が不要であり、従来の通信システムにリピータ２を設置し、移動通信端末１内のプログラムを追加するだけで、本実施形態におけるシステムを容易かつ低コストで構築することが可能である。
【００５１】
また、移動通信端末１は、マナーモードのＯＮ／ＯＦＦを設定する処理と、ページング信号の受信を認識する処理と、受信したページング信号に応答許可情報が付加されているか否かを判定する処理と、応答許可信号が付加されていると判定され、マナーモードがＯＦＦに設定されている場合、着信に対する応答信号を送出するように制御する処理とを行う。
【００５２】
また、リピータ２は、ページング信号の受信を認識する処理と、受信したページング信号に応答許可情報を付加する処理と、応答許可情報が付加された呼出信号を送出するように制御する処理とを行う。
【００５３】
上記の処理は、移動通信端末１またはリピータ２が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００５４】
なお、上記の実施形態は本発明の好適な実施の一例であり、本発明の実施形態は、これに限定されるものではなく、本発明の要旨を逸脱しない範囲において種々変形して実施することが可能となる。
【００５５】
【発明の効果】
以上説明したように、本発明によれば、無線信号遮蔽空間内おいて、移動通信端末装置は、着信時の着信音の鳴動が「ＯＦＦ」である場合のみ、着信に対する応答信号の送出を行う。従って、着信音の鳴動が禁止されている所定の店舗または公共交通機関などにおいて、容易に着信音の鳴動を抑制し、移動通信端末装置の利用者のマナーを向上させることが可能となる。
【図面の簡単な説明】
【図１】本発明の一実施形態における移動通信システムの構成を示すイメージ図である。
【図２】本発明の一実施形態における移動通信システムの構成を示す図である。
【図３】本発明の一実施形態における移動通信システムによる動作の流れを示すフローチャートである。
【符号の説明】
１  移動通信端末
２  リピータ
３  電波シールド
１１、２１  制御部
１２、２２  送受信部
１３  マナーモード設定部
１４  操作部
１５  情報記憶部
１６  アンテナ
１７  音声出力部
２３  空間外部アンテナ
２４  空間内部アンテナ
【図１】
2004153459.tif 000003
【図２】
2004153459.tif 000004
【図３】
2004153459.tif 000005